(57)【要約】【課題】圧接不良を招く圧接刃の座屈等を確実に防止でき、複数本の電線の圧接を一括により安定して行うことができる良好な圧接コネクタを提供する。【解決手段】圧接コネクタ２１は、収容保持した圧接端子２９の複数の圧接刃２９ａが突出するホルダー嵌合部３３を備えたコネクタハウジング２３と、複数本の被覆電線４３をホルダー嵌合部３３における圧接刃２９ａの配列ピッチに対応して保持する電線ホルダー２５とを備え、電線ホルダー２５をコネクタハウジング２３に嵌合装着することで、複数本の被覆電線４３が一括してコネクタハウジング２３側の各圧接刃２９ａに圧接される。電線ホルダー２５の圧接刃対向面４１に嵌合装着される圧接補助板２７は、電線ホルダー２５に保持された各被覆電線４３の圧接部分４３ａを押圧挟持する電線押さえ部５５と、電線ホルダー２５を仮嵌合させた際には各圧接刃２９ａの先端を受容し、本嵌合時には各圧接刃２９ａを圧接部分４３ａに誘導する圧接刃誘導部５７とを備える。【選択図】        図１
2004335221.tif 000002
【特許請求の範囲】
【請求項１】
圧接端子を収容保持すると共に、収容保持した圧接端子の複数の圧接刃が突出するホルダー嵌合部を備えたコネクタハウジングと、
複数本の電線を前記ホルダー嵌合部における前記圧接刃の配列ピッチに対応して保持し、前記ホルダー嵌合部に嵌合装着される電線ホルダーとを備え、
前記電線ホルダーを前記コネクタハウジングに嵌合装着することで、前記電線ホルダーに保持した複数本の電線が一括して前記コネクタハウジング側の各圧接刃に圧接される圧接コネクタであって、
前記電線ホルダーの圧接刃対向面に嵌合装着される圧接補助板が、前記電線ホルダーに保持された各電線の圧接部分を押圧挟持する電線押さえ部と、各圧接刃を各電線の圧接部分に誘導する圧接刃誘導部と、を備えていることを特徴とする圧接コネクタ。
【請求項２】
前記圧接刃誘導部が、前記電線ホルダーを前記ホルダー嵌合部に仮嵌合させた際に前記各圧接刃の先端を受容し、本嵌合時に前記圧接刃を各電線の圧接部分に誘導することを特徴とする請求項１に記載の圧接コネクタ。
【請求項３】
前記電線ホルダーが、圧接刃対向面に形成されて各電線の圧接部分を並行に位置決めする圧接部保持溝と、前記圧接部保持溝の一端部に穿設されて前記電線の端部を保持する電線端保持穴と、前記圧接部保持溝の他端部に連通するようにホルダー側面に形成されて前記電線の延出部を保持する延出部保持溝と、を備えており、
これらの電線端保持穴及び延出部保持溝によって、前記電線の圧接部分を両端で屈曲させた形態に保持することを特徴とする請求項１に記載の圧接コネクタ。
【請求項４】
前記コネクタハウジングと前記電線ホルダーとの間には、前記電線ホルダーを前記ホルダー嵌合部に仮嵌合させた状態に係止する仮係止手段が設けられていることを特徴とする請求項１〜３のいずれかに記載の圧接コネクタ。
【発明の詳細な説明】
【０００１】
【発明の属する技術分野】
本発明は圧接コネクタに関し、特に、複数本の電線を保持した電線ホルダーを複数の圧接端子を収容保持したコネクタハウジングに嵌合装着することで、これら電線と圧接端子との圧接を一括して行う圧接コネクタに関する。
【０００２】
【従来の技術】
従来より、圧接コネクタの圧接作業を効率化するために、複数本の電線を保持した電線ホルダーを複数の圧接端子を収容保持したコネクタハウジングに嵌合装着することで、これら電線と圧接端子との圧続を一括して行う圧接コネクタが種々提案されている（例えば、特許文献１，２参照）。
【０００３】
例えば、図２８乃至図３０に示した圧接コネクタ１は、複数本の電線３を複数の圧接刃５を一体成形した圧接形ジョイント端子６に圧接接続するもので、圧接形ジョイント端子６を収容保持するコネクタハウジング８と、複数本の電線３を圧接形ジョイント端子６における圧接刃５の配列ピッチと同じピッチで整列保持する電線ホルダー９とを備えた構成である。
【０００４】
図２９に示すように、前記コネクタハウジング８は、収容保持した圧接形ジョイント端子６の圧接刃５が突出するホルダー嵌合部８ａを有している。また、電線ホルダー９は、各電線３を圧接刃５の配列ピッチと同じピッチで保持する各電線保持溝９ａ毎に、ホルダー嵌合部８ａに嵌合装着した際に圧接刃５の先端が進入する圧接刃逃げ溝９ｂを有している。
そこで、上記圧接コネクタ１は、図３０に示すように、コネクタハウジング８のホルダー嵌合部８ａに電線ホルダー９を嵌合装着することで、複数本の電線３が各圧接刃５に一括で圧接される。
【０００５】
ところで、上述のように電線ホルダー９に保持された複数本の電線３に対して、コネクタハウジング８側に保持された複数本の圧接刃５を一括して圧接する場合には、かなり大きな操作力が必要になる。また、嵌合させるコネクタハウジング８と電線ホルダー９との間に拗れが発生しないように、両者を正確に嵌合方向に押圧する必要がある。
【０００６】
そこで、コネクタハウジング８に電線ホルダー９を嵌合装着する際には、専用の加圧工具に移して、専用工具による強力な加圧操作によって、一挙に、図３０に示すように各圧接刃５が電線３の被覆を切り裂いて電線導体に圧接した嵌合状態にする。
この嵌合状態では、電線ホルダー９に装備された係合突起９ｃが、コネクタハウジング８に装備された係止溝８ｂに係合して、嵌合状態がロックされる。
【０００７】
【特許文献１】
実開平１−６８６５９号公報
【特許文献２】
特開平８−１２４６１２号公報
【０００８】
【発明が解決しようとする課題】
しかしながら、図２９に示したように、コネクタハウジング８側に保持された複数本の圧接刃５は、細身で、且つ、コネクタハウジング８の収容保持部８ｃからの突出長Ｌが長い。
その為、電線３の一括圧接に必要な大きな加圧操作を行った場合に、組付け誤差による電線３の僅かな浮き上がり、或いは圧接刃５の僅かな傾き等で、圧接刃５の先端に強大な曲げ荷重が衝撃的に作用し、その結果、圧接刃５の座屈変形等によって圧接不良が発生する虞があった。
【０００９】
そこで、本発明の目的は上記課題を解消することに係り、電線ホルダーとコネクタハウジングとを嵌合する際に、圧接不良を招く圧接刃の座屈等を確実に防止でき、複数本の電線の圧接を一括により安定して行うことができる良好な圧接コネクタを提供することである。
【００１０】
【課題を解決するための手段】
本発明の上記目的は、請求項１に記載したように、圧接端子を収容保持すると共に、収容保持した圧接端子の複数の圧接刃が突出するホルダー嵌合部を備えたコネクタハウジングと、
複数本の電線を前記ホルダー嵌合部における前記圧接刃の配列ピッチに対応して保持し、前記ホルダー嵌合部に嵌合装着される電線ホルダーとを備え、
前記電線ホルダーを前記コネクタハウジングに嵌合装着することで、前記電線ホルダーに保持した複数本の電線が一括して前記コネクタハウジング側の各圧接刃に圧接される圧接コネクタであって、前記電線ホルダーの圧接刃対向面に嵌合装着される圧接補助板が、前記電線ホルダーに保持された各電線の圧接部分を押圧挟持する電線押さえ部と、各圧接刃を各電線の圧接部分に誘導する圧接刃誘導部と、を備えていることを特徴とする圧接コネクタにより達成される。
【００１１】
上記構成の圧接コネクタによれば、電線ホルダーに保持させた複数本の電線は、該電線ホルダーに圧接補助板を嵌合装着することで、各電線の圧接部分が押圧挟持される為、該電線ホルダーをコネクタハウジングのホルダー嵌合部に本嵌合させるまで、電線ホルダーに保持させた電線の圧接部分部に浮き上がり等の位置ずれが発生することを確実に防止できる。
【００１２】
また、好ましくは請求項２に記載したように、前記圧接刃誘導部が、前記電線ホルダーを前記ホルダー嵌合部に仮嵌合させた際には前記各圧接刃の先端を受容し、本嵌合時には圧接刃を各電線の圧接部分に誘導する。
前記構成の圧接コネクタによれば、圧接補助板を嵌合装着した電線ホルダーをコネクタハウジングのホルダー嵌合部に仮嵌合させると、コネクタハウジング側に収容保持されている各圧接端子の圧接刃の先端が、圧接補助板の圧接刃誘導部に受容されるので、この圧接刃誘導部によって各圧接刃の先端が適正位置に支えられた状態になる。
そこで、電線ホルダーとコネクタハウジングとを仮嵌合状態から本嵌合状態に移す加圧操作時に、圧接不良を招く圧接刃の振れや座屈等を確実に防止でき、複数本の電線を各圧接端子に対し安定して一括に圧接することができる。
【００１３】
また、好ましくは請求項３に記載したように、前記電線ホルダーが、圧接刃対向面に形成されて各電線の圧接部分を並行に位置決めする圧接部保持溝と、前記圧接部保持溝の一端部に穿設されて前記電線の端部を保持する電線端保持穴と、前記圧接部保持溝の他端部に連通するようにホルダー側面に形成されて前記電線の延出部を保持する延出部保持溝と、を備えており、これらの電線端保持穴及び延出部保持溝によって、前記電線の圧接部分を両端で屈曲させた形態に保持する。
【００１４】
前記構成の圧接コネクタによれば、電線ホルダーに保持された電線は、圧接部分の両側がそれぞれ略９０゜屈曲された状態で保持され、圧接部分の両側の曲げ部が電線に作用する張力に抗するテンションプルーフ部として機能する。
また、電線の圧接部分に近接する電線の端部が、電線端保持穴に挿入されて保持されるため、各電線の端部におけるリークを防止する為の端部処理作業等が不要となり、作業性が向上する。
【００１５】
更に、好ましくは請求項４に記載したように、前記コネクタハウジングと前記電線ホルダーとの間には、前記電線ホルダーを前記ホルダー嵌合部に仮嵌合させた状態に係止する仮係止手段が設けられる。
前記構成の圧接コネクタによれば、前記コネクタハウジングと前記電線ホルダーとを仮嵌合させた状態でコネクタ嵌合治具等に移載し、これらを本嵌合させることにより複数本の電線を一括して各圧接刃に圧接する際、移載の途中で電線ホルダーが脱落するような不都合の発生を防止することができる。
【００１６】
【発明の実施の形態】
以下、添付図面に基づいて本発明の一実施形態に係る圧接コネクタを詳細に説明する。
本発明の第１実施形態に係る圧接コネクタ２１は、図１に示すように、コネクタハウジング２３と、電線ホルダー２５と、圧接補助板２７とで構成されている。
【００１７】
前記コネクタハウジング２３は、複数本の圧接端子２９を収容保持すると共に、収容保持した圧接端子２９の複数の圧接刃２９ａが突出するホルダー嵌合部３３を備えている。前記圧接端子２９は、相手コネクタとの嵌合方向に沿って貫通形成された端子収容孔３１（図１３，１４、参照）内に嵌入されている。
【００１８】
また、前記ホルダー嵌合部３３の長手方向端部周壁には、前記電線ホルダー２５をホルダー嵌合部３３に嵌入させた際に、後述の仮嵌合の状態で該電線ホルダー２５を保持する仮係止手段３５と、仮嵌合の状態から更に電線ホルダー２５をホルダー嵌合部３３内に押し込んで本嵌合状態にした時に、前記電線ホルダー２５を保持固定する本係止手段３７とを備えている。これらの仮係止手段３５及び本係止手段３７については、後で補足説明する。
【００１９】
本第１実施形態においてコネクタハウジング２３に装着される圧接端子２９は、図１３に示すように、一端に被覆電線４３の被覆を切断してその内部の導体に圧接する一対の圧接刃２９ａを有し、他端には相手コネクタハウジングの接続端子に嵌合接続される端子嵌合部（図示略）を有した構成である。
【００２０】
前記電線ホルダー２５は、図３乃至図５に示すように、圧接刃２９ａの進入方向に対向する圧接刃対向面４１に形成されて各被覆電線４３の圧接部分４３ａを並行に位置決めする圧接部保持溝４５と、該圧接部保持溝４５の一端部においてコネクタ嵌合方向に穿設されて前記被覆電線４３の端部を保持する電線端保持穴４７と、前記圧接部保持溝４５の他端部に連通するように短手方向の両ホルダー側面４８に形成されて前記被覆電線４３の圧接部分４３ａの手前側における延出部４３ｂを保持する延出部保持溝４９とを備えている。
【００２１】
そして、これら電線端保持穴４７及び延出部保持溝４９によって、図１０に示すように、圧接端子２９に圧接する被覆電線４３の圧接部分４３ａを前記圧接部保持溝４５の両端部でコ字状に屈曲させた形態に保持する。
これら圧接部保持溝４５、電線端保持穴４７及び延出部保持溝４９は、複数本の被覆電線４３の端部を前記ホルダー嵌合部３３における圧接刃２９ａ相互の配列ピッチと同じ間隔に保持するように設けられている。
【００２２】
また、前記電線ホルダー２５の圧接刃対向面４１には、図３に示すように、各圧接部保持溝４５毎に、前記圧接刃２９ａの先端が進入可能な圧接刃逃げ溝５０が形成されている。
更に、前記電線ホルダー２５の長手方向における両端部外側には、図１及び図３に示すように、係合突起５１が突設されている。この係合突起５１は、コネクタハウジング２３との嵌合方向の前端側にテーパ面５１ａを有した突起であり、電線ホルダー２５をコネクタハウジング２３のホルダー嵌合部３３に嵌合させた際に、上述した仮係止手段３５又は本係止手段３７に係合することで、仮固定又は本固定を果たす。
【００２３】
ここで、電線ホルダー２５の係合突起５１が、コネクタハウジング２３の仮係止手段３５又は本係止手段３７に係合する状態について説明しておく。
電線ホルダー２５をコネクタハウジング２３のホルダー嵌合部３３に嵌合させた場合、図１３に示すように圧接刃２９ａの先端部が圧接部保持溝４５に保持された被覆電線４３の圧接部分４３ａに到達する前の状態が仮嵌合状態であり、その時、係合突起５１は図１２（ｂ）に示すように、コネクタハウジング２３の仮係止手段３５に係合している。
【００２４】
この仮係止手段３５は、係合突起５１が嵌合する切欠き部であり、図１２（ａ）にも示すように、係合突起５１を挟む両側面には該係合突起５１に弾性接触する一対の弾性突起３５ａ，３５ａが突設されている。
仮係止手段３５に係合突起５１が圧入されると、これら弾性突起３５ａ，３５ａの弾性変形（一部の潰れを含む）による接触圧で係合突起５１が挟持され、電線ホルダー２５は仮嵌合状態を維持するように、コネクタハウジング２３にガタつきなく保持される。
【００２５】
そして、図１２（ｂ）に示した仮嵌合状態から更に電線ホルダー２５をコネクタハウジング２３内に押し込むと、係合突起５１は仮係止手段３５の前方に配置された本係止手段３７に嵌合する。
本係止手段３７は、係合突起５１を係止する段部であり、図１１に示すように、その係止面３７ａに係合突起５１の背面段部５１ｂが係合することで、該係合突起５１を係止固定する。
【００２６】
前記圧接補助板２７は、電線ホルダー２５の圧接刃対向面４１側に嵌合装着されるもので、図１，２及び図１３に示すように、電線ホルダー２５の圧接部保持溝４５に保持された各被覆電線４３の圧接部分４３ａを押圧挟持する電線押さえ部５５と、電線ホルダー２５をホルダー嵌合部３３に仮嵌合させた際には前記各圧接刃２９ａの先端を受容し、本嵌合時には各圧接刃２９ａを各被覆電線４３の圧接部分４３ａに誘導する圧接刃誘導部５７と、を備えている。
【００２７】
尚、本第１実施形態の圧接刃誘導部５７は、各圧接刃２９ａに対応した断面矩形の貫通孔であるが、本発明の圧接刃誘導部はこれに限定されるものではない。
更に、これら電線ホルダー２５と圧接補助板２７との間には、これらを結合状態に保持するための連結手段５９と、圧接補助板２７の装着方向を規制する誤挿入防止手段６０とを備えている。
【００２８】
本第１実施形態の場合、前記電線押さえ部５５は、図１及び図１３に示したように、電線ホルダー２５の圧接部保持溝４５に嵌入して、各被覆電線４３の圧接部分４３ａを圧接部保持溝４５の底部に押圧挟持する凸部である。
また、前記連結手段５９は、図８及び図９に示すように、電線ホルダー２５の圧接刃対向面４１から嵌合方向に突出形成されたリブ６１と、該リブ６１の先端の膨出部６２が嵌入するように圧接補助板２７の嵌合面に形成された嵌合溝２８とから成る。
【００２９】
前記リブ６１は、圧接部保持溝４５や延出部保持溝４９を形成するために電線ホルダー２５に立設された突壁である。前記膨出部６２は、リブ６１の上端縁を両側にテーパ面６２ａを持つ矢尻形に膨出させたものであり、両側のテーパ面６２ａは、嵌合溝２８への膨出部６２の嵌入を容易にする案内面として機能する。
【００３０】
前記嵌合溝２８は、図８に示すように、入口側にテーパ面６２ａに対応したテーパ面２８ａを有したくびれ部２８ｂの奥に、内方広がりの係合室２８ｃを画成した構造である。
尚、嵌合溝２８及び膨出部６２のテーパ面２８ａ及び６２ａは、嵌入動作時に急激な応力変化で破損等が生じないように、傾斜角が適宜選定される。
【００３１】
更に、前記誤挿入防止手段６０は、図２及び図３に示したように、電線ホルダー２５及び圧接補助板２７の長手方向両端部にそれぞれ非対象に突設された複数の嵌合凸部及び嵌合凹部から成り、圧接補助板２７を電線ホルダー２５に嵌合装着する際の位置決め及び嵌合案内と、組付け方向の誤挿入防止を果している。
【００３２】
本第１実施形態の圧接コネクタ２１は、次の手順で、複数本の被覆電線４３を一括して、圧接端子２９に圧接する。
先ず、図４に示すように、被覆電線４３の端部を電線ホルダー２５の電線端保持穴４７に挿入し、次いで、図５に示すように、被覆電線４３を折り曲げて各圧接部分４３ａを圧接部保持溝４５に収容保持させる。
【００３３】
次いで、図６に示すように、電線ホルダー２５の圧接刃対向面４１上に圧接補助板２７を嵌合装着した後、図７に示すように、電線ホルダー２５の圧接部保持溝４５からハウジングの両側に延出している被覆電線４３を折り曲げて、圧接部分４３ａの手前側における延出部４３ｂを電線ホルダー２５の延出部保持溝４９に収容保持させる。
【００３４】
なお、図６に示した電線ホルダー２５と圧接補助板２７との結合状態は、図８及び図９に示したように、連結手段５９によって達成されており、各圧接部分４３ａを収容保持している圧接部保持溝４５の両側に立設された突壁であるリブ６１の膨出部６２がそれぞれ嵌合溝２８に嵌入されるので、複数の被覆電線４３を一本一本確実に保持することができる。
【００３５】
この様に電線ホルダー２５に圧接補助板２７を嵌合装着した状態では、図１０に示すように、電線ホルダー２５に保持された被覆電線４３の圧接部分４３ａが、圧接補助板２７によってしっかりと押さえ込まれた状態となって浮き上がり等の発生が防止される。
【００３６】
次に、被覆電線４３の圧接部分４３ａを圧接補助板２７によって挟持固定した電線ホルダー２５が、図１１に示すように、コネクタハウジング２３のホルダー嵌合部３３に嵌合させられる。
その時、先ず図１３に示したように、圧接刃２９ａの先端が圧接補助板２７の圧接刃誘導部５７には進入するが、電線ホルダー２５上の被覆電線４３の圧接部分４３ａには未到達の仮嵌合状態の位置で、これらコネクタハウジング２３と電線ホルダー２５とが上記仮係止手段３５によって仮固定される。
【００３７】
次いで、専用のコネクタ嵌合治具等を用いて電線ホルダー２５を更にコネクタハウジング２３のホルダー嵌合部３３内に押し込むことで、図１５に示すように、電線ホルダー２５をコネクタハウジング２３に本嵌合させる。
すると、前記電線ホルダー２５に保持した複数本の被覆電線４３が、図１４に示すように、一括して前記コネクタハウジング２３側の各圧接端子２９の圧接刃２９ａに圧接される。
【００３８】
即ち、本第１実施形態の圧接コネクタ２１によれば、電線ホルダー２５に保持させた複数本の被覆電線４３は、該電線ホルダー２５に圧接補助板２７を嵌合装着することで、各電線の圧接部分４３ａが押圧挟持される為、該電線ホルダー２５をコネクタハウジング２３のホルダー嵌合部３３に本嵌合させるまで、電線ホルダー２５に保持させた被覆電線４３の圧接部分４３ａに浮き上がり等の位置ずれが発生することを確実に防止できる。
【００３９】
また、圧接補助板２７を嵌合装着した電線ホルダー２５をコネクタハウジング２３のホルダー嵌合部３３に仮嵌合させると、コネクタハウジング２３側に収容保持されている各圧接端子２９の圧接刃２９ａの先端が、圧接補助板２７の圧接刃誘導部５７に受容されるので、この圧接刃誘導部５７によって各圧接刃２９ａの先端が適正位置に支えられた状態になる。
【００４０】
そこで、電線ホルダー２５とコネクタハウジング２３とを仮嵌合状態から本嵌合状態に移す加圧操作時に、圧接不良を招く圧接刃２９ａの振れや座屈等を確実に防止でき、複数本の被覆電線４３を各圧接端子２９に対し安定して一括に圧接することができる。
【００４１】
更に、本第１実施形態における電線ホルダー２５は、圧接刃対向面４１に形成されて各被覆電線４３の圧接部分４３ａを並行に位置決めする圧接部保持溝４５と、前記圧接部保持溝４５の一端部に穿設されて前記被覆電線４３の端部を保持する電線端保持穴４７と、前記圧接部保持溝４５の他端部に連通するようにホルダー側面４８に形成されて前記被覆電線４３の延出部４３ｂを保持する延出部保持溝４９と、を備えており、これら電線端保持穴４７及び延出部保持溝４９によって、前記被覆電線４３の圧接部分４３ａを両端で屈曲させた形態に保持している。
【００４２】
そこで電線ホルダー２５に保持された被覆電線４３は、圧接部分４３ａの両側がそれぞれ略９０゜屈曲された状態で保持され、圧接部分４３ａの両側の曲げ部が被覆電線４３に作用する張力に抗するテンションプルーフ部として機能する。
又、被覆電線４３の圧接部分４３ａに近接する被覆電線４３の端部が、電線端保持穴４７に挿入されて保持されるため、各被覆電線４３の端部におけるリークを防止する為の端部処理作業等が不要となり、作業性が向上する。
【００４３】
また、本第１実施形態におけるコネクタハウジング２３と電線ホルダー２５との間には、電線ホルダー２５をホルダー嵌合部３３に仮嵌合させた状態に係止する仮係止手段３５が設けられている。
そこで、前記コネクタハウジング２３と前記電線ホルダー２５とを仮嵌合させた状態でコネクタ嵌合治具等に移載し、これらを本嵌合させることにより複数本の被覆電線４３を一括して各圧接刃２９ａに圧接する際、移載の途中で電線ホルダー２５がコネクタハウジング２３から脱落するような不都合の発生を防止することができる。
【００４４】
尚、本発明の圧接コネクタにおける圧接端子、コネクタハウジング、電線ホルダー及び圧接補助板等の構成は、上記第１実施形態の構成に限定されるものではなく、本発明の趣旨に基づいて種々の形態を採りうることは云うまでもない。
図１６乃至図１８に示すように、本発明の第２実施形態に係る圧接コネクタ７１は、コネクタハウジング７３と、電線ホルダー７５と、圧接補助板７７とで構成されている。
【００４５】
前記コネクタハウジング７３は、上下二列に配設された複数本の圧接端子８９を収容保持すると共に、収容保持した圧接端子８９の各列の圧接刃８９ａがそれぞれコネクタ上方又は下方（図１７中、上下方向）に突出する一対のホルダー嵌合部８３，８３を備えている。前記圧接端子８９は、相手コネクタとの嵌合方向に沿って貫通形成された端子収容孔８１内に嵌入されている。
【００４６】
また、前記ホルダー嵌合部８３の長手方向端部側壁には、前記電線ホルダー７５をホルダー嵌合部８３に嵌入させた際に、該電線ホルダー７５を保持固定する係止孔８５を備えている。これら係止孔８５は、電線ホルダー７５の長手方向における両端部外側に突設された係合突起７６を係止する。
【００４７】
本第２実施形態においてコネクタハウジング７３に装着される圧接端子８９は、一端に相手コネクタハウジングの接続端子に嵌合接続される端子嵌合部（図示略）が形成され、他端には被覆電線４３の被覆を切断してその内部の導体に圧接する一対の圧接刃８９ａが直角に折り曲げ形成された構成である。
【００４８】
前記電線ホルダー７５は、図１７に示すように、圧接刃７９ａの進入方向に対向する圧接刃対向面７８に形成されて各被覆電線４３の圧接部分４３ａを並行に位置決めする圧接部保持溝７９を備えている。
そして、この圧接部保持溝７９は、複数本の被覆電線４３の端部における圧接部分４３ａを前記ホルダー嵌合部８３における圧接刃８９ａ相互の配列ピッチと同じ間隔に保持するように設けられている。尚、各圧接部保持溝７９毎に、前記圧接刃８９ａの先端が進入可能な圧接刃逃げ孔８０が穿設されている。
【００４９】
前記圧接補助板７７は、電線ホルダー７５の圧接刃対向面７８側に嵌合装着されるもので、電線ホルダー７５の圧接部保持溝７９に保持された各被覆電線４３の圧接部分４３ａを押圧挟持する電線押さえ部（図示せず）と、嵌合時には各圧接刃８９ａを各被覆電線４３の圧接部分４３ａに誘導する圧接刃誘導部８７と、を備えている。
【００５０】
尚、本第２実施形態の圧接刃誘導部８７は、各圧接刃８９ａに対応した断面矩形の貫通孔である。
又、これら電線ホルダー７５と圧接補助板７７との間には、これらを結合状態に保持するための連結手段９０を備えている。前記連結手段９０は、図１７に示すように、電線ホルダー７５の圧接刃対向面７８から嵌合方向に突出形成されたリブ９１と、該リブ９１の先端の膨出部９２が嵌入するように圧接補助板７７の嵌合面に形成された嵌合溝９３とから成り、上記第１実施形態における連結手段５９と同様の構成及び作用効果を有している。
【００５１】
本第２実施形態の圧接コネクタ７１は、次の手順で、複数本の被覆電線４３を一括して、圧接端子８９に圧接する。
先ず、図１７に示すように、被覆電線４３の端部における圧接部分４３ａを電線ホルダー７５の圧接部保持溝７９に収容保持させる。
【００５２】
次いで、電線ホルダー７５の圧接刃対向面７８上に圧接補助板７７を嵌合装着する。この際、電線ホルダー７５と圧接補助板７７との結合状態は、図１７に示したように、連結手段９０によって達成されているが、各圧接部分４３ａを収容保持している圧接部保持溝７９の両側に立設された突壁であるリブ９１の膨出部９２がそれぞれ嵌合溝９３に嵌入されるので、複数の被覆電線４３を一本一本確実に保持することができる。
この様に電線ホルダー７５に圧接補助板７７を嵌合装着した状態では、電線ホルダー７５に保持された被覆電線４３の圧接部分４３ａが、圧接補助板７７によってしっかりと押さえ込まれた状態となって浮き上がり等の発生が防止される。
【００５３】
次に、被覆電線４３の圧接部分４３ａを圧接補助板７７によって挟持固定した電線ホルダー７５が、図１８及び図１９に示すように、コネクタハウジング７３の上下面側にそれぞれ装備された各ホルダー嵌合部８３に順次嵌合させられる。各ホルダー嵌合部８３に順次嵌合させられた電線ホルダー７５は、係合突起７６がコネクタハウジング７３の係止孔８５に係止されて固定される。
【００５４】
この時、先ず前記圧接刃８９ａの先端が圧接補助板７７の圧接刃誘導部８７に受容されてから加圧操作されるので、この圧接刃誘導部８７によって各圧接刃８９ａの先端が適正位置に支えられた状態になり、圧接不良を招く圧接刃８９ａの振れや座屈等を確実に防止でき、複数本の被覆電線４３を各圧接端子８９に対し安定して一括に圧接することができる。
【００５５】
更に、上述した本第２実施形態の圧接コネクタ７１によれば、複数本の被覆電線４３の圧接部分４３ａを電線ホルダー７５の圧接部保持溝７９に収容保持させる際には、併設された複数の圧接部保持溝７９内に上方から各被覆電線４３の端部を圧入すれば良いので、自動組立機に容易に対応させることができる。
【００５６】
図２０及び図２１に示すように、本発明の第３実施形態に係る圧接コネクタ１０１は、コネクタハウジング１００と、電線ホルダー７５と、圧接補助板７７とで構成されている。尚、電線ホルダー７５及び圧接補助板７７は、上記第２実施形態の圧接コネクタ７１における電線ホルダー７５及び圧接補助板７７と同様の構成である。
【００５７】
本第３実施形態に係るコネクタハウジング１００は、上下二列にオフセットして配設された複数本の圧接端子１０１を収容保持すると共に、収容保持した圧接端子１０１の圧接刃１０１ａがそれぞれコネクタ後方（図２１中、右方向）に突出する一対の階段状のホルダー嵌合部１０３，１０３を備えている。前記圧接端子１０１は、相手コネクタとの嵌合方向に沿って貫通形成された端子収容孔１０３内に嵌入されている。
【００５８】
そこで、被覆電線４３の圧接部分４３ａを圧接補助板７７によって挟持固定した電線ホルダー７５が、図２１に示すように、コネクタハウジング１００の後方側にそれぞれ装備された各ホルダー嵌合部１０３に順次嵌合させられる。各ホルダー嵌合部１０３に順次嵌合させられた電線ホルダー７５は、係合突起７６がコネクタハウジング１００の係止孔１０２に係止されて固定される。
【００５９】
この時、先ず前記圧接刃１０１ａの先端が圧接補助板７７の圧接刃誘導部８７に受容されてから加圧操作されるので、この圧接刃誘導部８７によって各圧接刃１０１ａの先端が適正位置に支えられた状態になり、圧接不良を招く圧接刃１０１ａの振れや座屈等を確実に防止でき、複数本の被覆電線４３を各圧接端子１０１に対し安定して一括に圧接することができる。
【００６０】
図２２乃至図２４に示すように、本発明の第４実施形態に係る圧接コネクタ１１１は、コネクタハウジング２３と、第１の電線ホルダー１１５及び第１の圧接補助板１１７と、第２の電線ホルダー１２５及び第２の圧接補助板１２７と、で構成されている。尚、コネクタハウジング２３は、上記第１実施形態の圧接コネクタ２１におけるコネクタハウジング２３と同様の構成である。
【００６１】
図２２（ａ）に示した本第４実施形態に係る第１の電線ホルダー１１５及び第１の圧接補助板１１７は、正面視略コ字状の外観形状を有すること以外は、実質的に上記第２実施形態における電線ホルダー７５及び圧接補助板７７と略同様の構成であり、第１の電線ホルダー１１５に第１の圧接補助板１１７を嵌合装着することで、複数本の被覆電線４３の圧接部分４３ａが押圧挟持される。
【００６２】
また、図２２（ｂ）に示した本第４実施形態に係る第２の電線ホルダー１２５及び第２の圧接補助板１２７は、上記第２実施形態における電線ホルダー７５及び圧接補助板７７と略同様の構成であるが、コネクタハウジング７３の係止孔８５に係止される係合突起７６の代わりに、第２の電線ホルダー１２５には第１の電線ホルダー１１５の嵌合孔（図示せず）に嵌入される一対の嵌合突起１２３，１２３が側面に突設されている（図２３、参照）。
【００６３】
そして、被覆電線４３の圧接部分４３ａを第１の圧接補助板１１７によって挟持固定した第１の電線ホルダー１１５と、第２の圧接補助板１２７によって挟持固定した第２の電線ホルダー１２５とが、図２３に示すように、補完的に嵌合結合されて一体とされる。
その後、図２４に示すように、一体とされた第１及び第２の電線ホルダー１１５，１２５が、専用のコネクタ嵌合治具等を用いてコネクタハウジング２３のホルダー嵌合部３３内に押し込まれて嵌合させられる。
【００６４】
すると、これら第１及び第２の電線ホルダー１１５，１２５に保持した複数本の被覆電線４３が、一括して前記コネクタハウジング２３側の各圧接端子２９の圧接刃２９ａに圧接される。
即ち、本第４実施形態の圧接コネクタ１１１に係る第１及び第２の電線ホルダー１１５，１２５は、上述した本第２実施形態の圧接コネクタ７１に係る電線ホルダー７５と同様に、複数本の被覆電線４３の圧接部分４３ａを第１及び第２の電線ホルダー１１５，１２５の圧接部保持溝にそれぞれ収容保持させる際には、併設された複数の圧接部保持溝内に上方から各被覆電線４３の端部を圧入すれば良いので、自動組立機に容易に対応させることができる。
【００６５】
図２５乃至図２８に示すように、本発明の第５実施形態に係る圧接コネクタ２０１は、コネクタハウジング２１０と、電線ホルダー２２１と、圧接補助板２２２と、ジョイント用電線２４０と、で構成されたジョイントコネクタである。
前記コネクタハウジング２１０は、複数本のジョイント用電線２４０の端部にそれぞれ圧着された圧接端子２４１を収容保持すると共に、収容保持された圧接端子２４１の複数の圧接刃２９ａが突出するホルダー嵌合部２１３を備えている。前記圧接端子２４１は、相手コネクタとの嵌合方向に沿って貫通形成された端子収容孔２１２内にコネクタ後方から挿入され、図示しない係止ランスにより係止されている（図２７、参照）。
【００６６】
前記コネクタハウジング２３は、複数本の圧接端子２９を収容保持すると共に、収容保持した圧接端子２９の複数の圧接刃２９ａが突出するホルダー嵌合部３３を備えている。前記圧接端子２９は、相手コネクタとの嵌合方向に沿って貫通形成された端子収容孔３１（図１３，１４、参照）内に嵌入されている。
本第５実施形態においてコネクタハウジング２１０に装着される前記圧接端子２４１は、図２５に示すように、一端に被覆電線４３の被覆を切断してその内部の導体に圧接する一対の圧接刃２４１ａを有し、他端にはジョイント用電線２４０の端部を圧着する電線接続部を有した構成である。
【００６７】
前記電線ホルダー２２１は、図２６（ａ）に示すように、圧接刃２４１ａの進入方向に対向する圧接刃対向面に形成されて各被覆電線４３の端部における圧接部分４３ａを並行に位置決めする圧接部保持溝２２３と、該圧接部保持溝２２３に連通するように短手方向のホルダー側面に形成されて前記被覆電線４３の圧接部分４３ａの手前側における延出部４３ｂを保持する延出部保持溝２２４とを備えている。
【００６８】
そして、これら圧接部保持溝２２３及び延出部保持溝２２４によって、図２６に示すように、前記圧接端子２４１に圧接する被覆電線４３の端部をＬ字状に屈曲させた形態に保持する。
これら圧接部保持溝２２３及び延出部保持溝２２４は、複数本の被覆電線４３の端部を前記ホルダー嵌合部２１３における圧接刃２４１ａ相互の配列ピッチと同じ間隔に保持するように設けられている。
また、前記電線ホルダー２２１の圧接刃対向面には、図２６に示すように、各圧接部保持溝２２３毎に、前記圧接刃２４１ａの先端が進入可能な圧接刃逃げ溝２２５が形成されている。
【００６９】
前記圧接補助板２２２は、電線ホルダー２２１の圧接刃対向面側に嵌合装着されるもので、図２６（ｂ）に示すように、電線ホルダー２２１の圧接部保持溝２、２３及び延出部保持溝２２４にＬ字状に屈曲保持された各被覆電線４３の端部を押圧挟持する電線押さえ部２２７と、電線ホルダー２２１をホルダー嵌合部２１３に嵌合させた際には前記各圧接刃２４１ａの先端を受容し、各圧接刃２４１ａを各被覆電線４３の圧接部分４３ａに誘導する圧接刃誘導部２２８と、を備えている。これら電線ホルダー２２１と圧接補助板２２２とは、上記連結手段５９と同様なリブ及び嵌合溝から成る連結手段により結合状態に保持される。
【００７０】
そして、本第５実施形態の圧接コネクタ２０１は、次の手順で、複数本の被覆電線４３を一括して、圧接端子２４１に圧接する。  先ず、図２６（ａ）に示したように、被覆電線４３の端部を電線ホルダー２２１の圧接部保持溝２２３及び延出部保持溝２２４に、Ｌ字状に屈曲保持させる。  次いで、図２６（ｂ）に示すように、電線ホルダー２２１の圧接刃対向面側に圧接補助板２２２を嵌合装着する。
【００７１】
一方、前記コネクタハウジング２１０の端子収容孔２１２内には、図２５に示したように、所定形態に配索されたジョイント用電線２４０の各端部に圧着された圧接端子２４１が予め挿入されている。
本第５実施形態の圧接コネクタ２０１は、図２８に示すように、複数（本実施形態では、２個）のコネクタハウジング２１０を組合せて図示しない固定手段により一体化した後、所定の端子収容孔２１２内にジョイント用電線２４０の圧接端子２４１を適宜挿入することによって、任意の複雑なジョイント回路を構成することができるジョイントコネクタである。
【００７２】
即ち、各端部に圧接端子２４１を圧着したジョイント用電線２４０を用いることにより、上下左右の隣接する端子収容孔２１２，２１２間に限らず、複数段にまたがったり、斜め方向にわたる端子収容孔２１２，２１２間のジョイントにも対応できる。
そして、図２７にも示すように、被覆電線４３の圧接部分４３ａを圧接補助板２２２によって挟持固定した各電線ホルダー２２１が、各コネクタハウジング２１０のホルダー嵌合部２１３に嵌合させられる。
【００７３】
この時も、先ず前記圧接刃２４１ａの先端が圧接補助板２２２の圧接刃誘導部２２８に受容されてから加圧操作されるので、この圧接刃誘導部２２８によって各圧接刃２４１ａの先端が適正位置に支えられた状態になり、圧接不良を招く圧接刃２４１ａの振れや座屈等を確実に防止でき、複数本の被覆電線４３を各圧接端子２４１に対し安定して一括に圧接することができる。
【００７４】
【発明の効果】
上述した如き本発明の圧接コネクタによれば、電線ホルダーに保持させた複数本の電線は、該電線ホルダーに圧接補助板を嵌合装着することで、各電線の圧接部分が押圧挟持される為、該電線ホルダーをコネクタハウジングのホルダー嵌合部に本嵌合させるまで、電線ホルダーに保持させた電線の圧接部分部に浮き上がり等の位置ずれが発生することを確実に防止できる。
【００７５】
また、圧接補助板を嵌合装着した電線ホルダーをコネクタハウジングのホルダー嵌合部に仮嵌合させると、コネクタハウジング側に収容保持されている各圧接端子の圧接刃の先端が、圧接補助板の圧接刃誘導部に受容されるので、この圧接刃誘導部によって各圧接刃の先端が適正位置に支えられた状態になる。
そこで、電線ホルダーとコネクタハウジングとを仮嵌合状態から本嵌合状態に移す加圧操作時に、圧接不良を招く圧接刃の振れや座屈等を確実に防止でき、複数本の電線を各圧接端子に対し安定して一括に圧接することができる。
従って、電線ホルダーとコネクタハウジングとを嵌合する際に、圧接不良を招く圧接刃の座屈等を確実に防止でき、複数本の電線の圧接を一括により安定して行うことができる良好な圧接コネクタを提供できる。
【図面の簡単な説明】
【図１】本発明の第１実施形態に係る圧接コネクタの分解斜視図である。
【図２】図１に示した圧接補助板の平面図である。
【図３】図１に示した電線ホルダーの正面である。
【図４】図１に示した電線ホルダーの電線端保持穴に電線の端部を挿入した状態を示す斜視図である。
【図５】図４に示した状態から電線を折り曲げて、電線の圧接部分を電線ホルダーの圧接部保持溝に収容保持させた状態を示す斜視図である。
【図６】図５に示した電線ホルダーに圧接補助板を嵌合装着した状態の斜視図である。
【図７】図６に示した状態から電線を電線ホルダーの側面側に折り曲げて、延出部保持溝に収容保持させた状態の斜視図である。
【図８】電線ホルダーと圧接補助板の仮嵌合状態における連結手段を示す要部拡大斜視図である。
【図９】電線ホルダーと圧接補助板の本嵌合状態における連結手段を示す要部拡大斜視図である。
【図１０】図７におけるＸ−Ｘ断面矢視図である。
【図１１】電線及び圧接補助板を組み付けた電線ホルダーとコネクタハウジングとの嵌合前の状態を示す斜視図である。
【図１２】（ａ）はコネクタハウジングに設けた仮係止手段を示す要部拡大斜視図であり、（ｂ）は電線ホルダーを仮嵌合した状態を示す要部拡大斜視図である。
【図１３】図１１に示した電線ホルダーとコネクタハウジングとを仮嵌合させた状態の部分縦断面図である。
【図１４】図１１に示した電線ホルダーとコネクタハウジングとを本嵌合させた状態の部分縦断面図である。
【図１５】図１１に示した電線ホルダーとコネクタハウジングとを本嵌合させた状態を示す斜視図である。
【図１６】本発明の第２実施形態に係る圧接コネクタの分解斜視図である。
【図１７】図１６に示した電線ホルダーと圧接補助板の分解斜視図である。
【図１８】図１６に示した電線ホルダーとコネクタハウジングとの組立手順を説明する部分断面斜視図である。
【図１９】図１６に示した電線ホルダーとコネクタハウジングとを嵌合させた状態を示す斜視図である。
【図２０】本発明の第３実施形態に係る圧接コネクタの分解斜視図である。
【図２１】図２０に示した電線ホルダーとコネクタハウジングとの組立手順を説明する縦断面図である。
【図２２】（ａ）は本発明の第４実施形態に係る圧接コネクタの第１の電線ホルダー及び第１の圧接補助板を示す分解斜視図、（ｂ）は圧接コネクタの第２の電線ホルダー及び第２の圧接補助板を示す斜視図である。
【図２３】図２２に示した第１の電線ホルダー及び第１の圧接補助板と、第２の電線ホルダー及び第２の圧接補助板との嵌合結合を説明する斜視図である。
【図２４】本発明の第４実施形態に係る圧接コネクタの分解斜視図である。
【図２５】本発明の第５実施形態に係る圧接コネクタの分解斜視図である。
【図２６】図２５に示した電線ホルダーと圧接補助板との組立手順を説明する縦断面図である。
【図２７】図２５に示した電線ホルダーとコネクタハウジングとの組立手順を説明する縦断面図である。
【図２８】図２５に示した圧接コネクタを組み合て成るジョイントコネクタの全体斜視図である。
【図２９】従来の圧接コネクタの分解斜視図である。
【図３０】図２９に示した圧接コネクタの圧接前の断面図である。
【図３１】図３０に示したコネクタハウジングと電線ホルダーの嵌合状態の断面図である。
【符号の説明】
２１  圧接コネクタ
２３  コネクタハウジング
２５  電線ホルダー
２７  圧接補助板
２９  圧接端子
２９ａ  圧接刃
３３  ホルダー嵌合部
３５  仮係止手段
３７  本係止手段
４１  圧接刃対向面
４３  被覆電線（電線）
４３ａ  圧接部分
４５  圧接部保持溝
４７  電線端保持穴
４９  延出部保持溝
５１  係合突起
５５  電線押さえ部
５７  圧接刃誘導部
５９  連結手段
２８  嵌合溝
６１  リブ
６２  膨出部
【図１】
2004335221.tif 000003
【図２】
2004335221.tif 000004
【図３】
2004335221.tif 000005
【図４】
2004335221.tif 000006
【図５】
2004335221.tif 000007
【図６】
2004335221.tif 000008
【図７】
2004335221.tif 000009
【図８】
2004335221.tif 000010
【図９】
2004335221.tif 000011
【図１０】
2004335221.tif 000012
【図１１】
2004335221.tif 000013
【図１２】
2004335221.tif 000014
【図１３】
2004335221.tif 000015
【図１４】
2004335221.tif 000016
【図１５】
2004335221.tif 000017
【図１６】
2004335221.tif 000018
【図１７】
2004335221.tif 000019
【図１８】
2004335221.tif 000020
【図１９】
2004335221.tif 000021
【図２０】
2004335221.tif 000022
【図２１】
2004335221.tif 000023
【図２２】
2004335221.tif 000024
【図２３】
2004335221.tif 000025
【図２４】
2004335221.tif 000026
【図２５】
2004335221.tif 000027
【図２６】
2004335221.tif 000028
【図２７】
2004335221.tif 000029
【図２８】
2004335221.tif 000030
【図２９】
2004335221.tif 000031
【図３０】
2004335221.tif 000032
【図３１】
2004335221.tif 000033